(57)【要約】  【課題】蓄光材が発光する残光を用いて案内表示を行うに際し、ピクトグラムや文字情報を白色で表示することにより視認性を高める。  【解決手段】本発明に係る蓄光式の案内表示板１６は、蓄積した光エネルギーを残光として発光する蓄光材２４の外側に、蓄光材２４が発光した光を透過して白色光を外部に出射する白色乳半板２２を備えた。これにより、ピクトグラムや文字情報を白色にて表示することが可能となり、暗所における遠方からの視認性や、煙が漂っている状況下における案内表示の視認性を向上させて、より確実に被災者の避難誘導を行って、被災者の生存率を高めることができる。  【選択図】図４
2009098421.tif 000002
【特許請求の範囲】
【請求項１】
光源が発光した光エネルギーの一部を蓄積し、その蓄積した光エネルギーを残光として発光する蓄光材と、
前記蓄光材の残光を透過して白色光を外部に出射する白色板と、
を備えたことを特徴とする案内表示板。
【請求項２】
前記白色板の素材として、厚さ０．７〜１．５（ｍｍ）のアクリル乳半板を用いたことを特徴とする請求項１に記載の案内表示板。
【請求項３】
前記蓄光材として、厚さ１．５〜２．５（ｍｍ）の硫化系蓄光物を用いたことを特徴とする請求項１又は２に記載の案内表示板。
【請求項４】
前記白色板の外側に、保護用の透明合成樹脂板を配置し、
前記透明透明合成樹脂板板の外側に、案内表示用の絵柄を配置したことを特徴とする請求項１〜３のいずれかに記載の案内表示板。
【請求項５】
前記透明合成樹脂板は、透明ポリカーボネート板であり、
前記案内表示用の絵柄は、ピクトグラム着色部であることを特徴とする請求項４に記載の案内表示板。
【請求項６】
前記蓄光材、前記白色板、前記合成樹脂板、及び前記絵柄を一体に形成したことを特徴とする請求項４又は５に記載の案内表示板。
【請求項７】
発光する光の指向特性が９０°以上の広指向角ＬＥＤ（Ｌｉｇｈｔ  Ｅｍｉｔｔｉｎｇ  Ｄｉｏｄｅ）を、案内表示用の光源として用い、
前記光源から４０〜７０（ｍｍ）離れた位置に、請求項１〜６のいずれかに記載の表示案内板が適用されたことを特徴とする案内表示灯。
【請求項８】
昼間の日照時等において太陽光発電を行うソーラーパネルと、
前記ソーラーパネルが発電した電力を蓄電するバッテリーと、
夜間等の暗所において、前記バッテリーに蓄電されている電力を前記光源に対して供給し、更に夜間用の点滅制御を行うコントローラと、
を備えたことを特徴とする請求項７に記載の案内表示灯。
【請求項９】
地震の揺れを感知する感振器と、
前記感振器が地震の揺れを感知した際に、点滅周期の短い緊急時用の点滅制御を行うコントローラと、
を備えたことを特徴とする請求項８に記載の案内表示灯。
【発明の詳細な説明】
【技術分野】
【０００１】
本発明は、暗所において案内表示を行う案内表示板、並びに、昼間に太陽光発電等により充電した電力を用いて、夜間に点灯させる省電力形の案内表示灯に関するものである。
【背景技術】
【０００２】
特開平１１−２５９０２４号公報（特許文献１）には、道路に面した土地などに立設しておき、災害時において避難場所が存在する方向などを、文字や図形を用いて表示する案内装置が開示されている。
【０００３】
この特許文献１に記載されている案内装置は、「避難場所」等の文字情報や避難方向を指し示すピクトグラムを描いた案内表示板と、太陽光発電を行うソーラーパネル及び太陽光発電により発電した電力を蓄電するバッテリーを備えた制御ボックスと、前記バッテリーに蓄電されている電力を用いて前記案内表示板を外部から照明するＬＥＤ光源と、地中埋没部分から立設し上部中央にて前記案内表示板を保持するとともに、上端部にて前記制御ボックス及びＬＥＤ光源を保持する左右一対の脚部分とを備えている。
【０００４】
前記表示案内部は、内部から表面に向かって、表示案内部の形状を形作っているアルミニウム複合パネルと、太陽光やＬＥＤ光源が発光した光エネルギーを蓄積してその残光を発光する蓄光材と、透明塗料で形成されるトップコート層と、文字やピクトグラムを描くための遮光フィルムとから構成されている。
【０００５】
そして、昼間においては、ソーラーパネルを用いて太陽光発電を行うとともに、案内表示板において遮光フィルムによりピクトグラムや文字情報を描いて、避難方向や注意事項、近隣の医療機関名とその所在方向、消防、警察などの位置を通行人に指示している。
【０００６】
一方、夜間においては、日暮れとともにＬＥＤ光源を連続点灯させて案内表示を行う。この連続点灯は、人通りが多い時間帯とされる日没後６時間連続点灯させる。この６時間の連続点灯を終了した後には、１秒点灯、２秒消灯という点滅制御を夜明けまで継続するようにして、バッテリーに蓄電した電力を温存しつつ案内表示を行う。そして、夜明けと共に自動消灯させている。
【０００７】
このようなＬＥＤ光源の点灯制御を行うことにより、地震、風水害、その他の災害が発生し、広範囲において夜間停電状態が続いた場合であっても、当該案内装置を避難誘導標識として機能させることができるとしている。
【特許文献１】特開平１１−２５９０２４号公報
【発明の開示】
【発明が解決しようとする課題】
【０００８】
特許文献１に記載されている案内装置の蓄光材が発光した残光は、透明なトップコート層を透過して出射されるので、通行人は蓄光材の発光色をそのまま直接視認する。蓄光材が発光する残光の発光色は、耐久性が良好な酸化系蓄光物を用いた場合にはイエローグリーン、ブルー、パープル等であり、白色ではない。この中で、災害時の案内表示用としては、比較的視認性に優れたイエローグリーンが多用されているが、この色は黄緑色の発色であるために、視認性がよくなかった。特に暗所にて遠くから案内表示を見た際の視認性や、煙が漂っている状況での案内表示の視認性が劣るという不具合を生じていた。
【０００９】
本発明は、暗所において蓄光材が発光する残光を用いて案内表示を行うに際し、ピクトグラムや文字情報を白色で表示することにより視認性を高めた案内表示板、並びに案内表示灯を提供することを目的としている。
【課題を解決するための手段】
【００１０】
前述の目的を達成すべく、本発明に係る案内表示板の主な構成は、光源が発光した光エネルギーの一部を蓄積し、その蓄積した光エネルギーを残光として発光する蓄光材と、前記蓄光材の残光を透過して白色光を外部に出射する白色板とを備えたことを特徴としている。
【００１１】
更に、前記白色板の素材として、厚さ０．７〜１．５（ｍｍ）のアクリル乳半板を用いることが好ましく、また、前記蓄光材として、厚さ１．５〜２．５（ｍｍ）の硫化系蓄光物を用いることが好ましい。そして、前記白色板の外側に保護用の透明ポリカーボネート板を配置し、前記透明ポリカーボネート板の外側に、案内表示用のピクトグラム着色部を配置することが好ましい。
【００１２】
また、前述の目的を達成するために、本発明に係る案内表示灯は、発光する光の指向特性が９０°以上の広指向角ＬＥＤ（Ｌｉｇｈｔ  Ｅｍｉｔｔｉｎｇ  Ｄｉｏｄｅ）を案内表示用の光源として用い、前記光源から４０〜７０（ｍｍ）離れた位置に、前記案内表示板を配置したことを特徴としている。
【００１３】
また、前記案内表示灯に、昼間の日照時等において太陽光発電を行うソーラーパネルと、前記ソーラーパネルが発電した電力を蓄電するバッテリーと、夜間等の暗所において、前記バッテリーに蓄電されている電力を前記光源に対して供給し、更に夜間用の点滅制御を行うコントローラとを備えることが好ましい。
【００１４】
また、前記案内表示灯に、地震の揺れを感知する感振器と、前記感振器が地震の揺れを感知した際に、点滅周期の短い緊急時用の点滅制御を行うコントローラとを備えることが好ましい。
【発明の効果】
【００１５】
本発明に係る表示案内板によれば、例えばイエローグリーンに発光する蓄光材の前面に白色板を配置することによって、ピクトグラムや文字情報等の案内表示を、より白色に近づけて表示することが可能となる。白色で案内表示を行うことにより、遠方からの視認性や、煙が漂っている状況での視認性を高め、地震や火災などの災害発生による緊急時において、より確実に被災者の避難誘導を行うことができ、被災者の生存率を高めることができる。
【００１６】
また、白色板の素材として、厚さ０．７（ｍｍ）以上のアクリル乳半板を用いることにより、蓄光材が発光した残光を、より白色に近づけて出射することができる。更に、白色板の素材として、厚さ１．５（ｍｍ）以下のアクリル乳半板を用いることにより、透過する光の光量を所定量確保して、案内表示板の輝度を明るくすることができる。
【００１７】
また、蓄光材の材質として、厚さ１．５〜２．５（ｍｍ）の硫化系蓄光物を用いることにより、残光の光量と、光源が発光した透過光の光量の双方を所定量確保して、案内表示板の輝度を明るくすることができる。
【００１８】
また、白色板の外側に、透明ポリカーボネート板等の透明合成樹脂板を配置して、白色板を風雨や紫外線等の外部環境から保護することが好ましい。また、案内表示の視認性を向上させるために、透明合成樹脂板の外側に、案内表示用のピクトグラム着色部等の絵柄を配置することが好ましい。更に、前記蓄光材、前記白色板、前記合成樹脂板、及び前記絵柄を一体にした案内表示板を形成することが好ましい。
【００１９】
また、本発明に係る案内表示灯によれば、案内表示用の光源として、指向特性が９０°以上の広指向角ＬＥＤを用い、その光源から４０〜７０（ｍｍ）離れた位置に、前記案内表示板を配置することにより、光源点灯時における表示案内板の面輝度のムラを減少させて、案内表示の視認性を向上させることができる。また、複数の光源が発光した光は、蓄光材及び白色板の内部にて拡散透過して、案内表示板から出射される。したがって、光源の配置に起因する面輝度のムラを減少させて均一化し、光源点灯時における案内表示の視認性を向上させることができる。
【００２０】
また、周囲が明るい時にはソーラーパネルを用いて太陽光発電を行って、その発電した電力をバッテリーに蓄電し、周囲が暗くなった際には、バッテリーに蓄電してある電力をＬＥＤ光源に供給して夜間用の点滅制御を行うようにした。これにより、地震、風水害、火災、その他の災害が発生して停電状態となり、商用電源の供給が途絶えた場合であっても、消費電力が少ないので、長時間にわたって避難誘導標識を発光させておくことが可能となる。また、視認性の高い白色表示と、案内表示灯が正常に機能していることを示す点滅制御とにより、暗闇の中を避難する被災者に安心感を与えることができ、落ち着いて避難するための補助を行うことができる。
【００２１】
また、地震の揺れを検知した際に、点滅周期の短い緊急時用の点滅制御を行うようにしたので、暗所において被災者の注意を喚起して、避難の誘導をより確実に行うことができる。
【発明を実施するための最良の形態】
【００２２】
以下、添付図面に示す実施例に基づき、本発明の案内表示板及び案内表示灯の実施形態について説明する。
図１は、本発明に係る案内表示板が適用された案内表示灯を、「広域避難場所案内図」を支える支柱の上部に設置した実施形態を示す外観図である。
【００２３】
図１に示すように、案内表示灯１０は、例えば地面に立設固定されている支柱８の上端部に設置して、比較的遠方からの視認性を確保している。図１に示す実施形態では、現在位置と避難場所との関係を表す「広域避難場所案内図」を支える支柱８の上端部に、広域避難場所の方向を指し示すピクトグラムと、広域避難場所までの距離を通知する文字情報とを表記した案内表示灯１０を設置してある。
【００２４】
ピクトグラムや文字情報の表示は、緑色の地に白抜きで描くのが一般的である。この場合、日照時においては、案内表示灯１０の内部に配置されている光源は消灯しているが、太陽光などの外部から受ける照射光を反射することで、緑地に白色で描いたピクトグラムと文字情報とを表示している。
【００２５】
図２は、夜間又は災害時に発光している案内表示灯１０の外観図である。
新月などの真暗になる夜間や、停電により照明が点灯しない災害時などの暗所では、案内表示灯１０の内部に配置されている光源が点滅して、その光源の点灯光又は蓄光材が発光する残光により、白色のピクトグラムと白色の文字情報とを表示することができる。
【００２６】
なお、案内表示灯１０の内部には、昼間の日照時においてソーラーパネルが発電した電力、又は商用電源から得た電力を蓄電しておくバッテリーを備えており、夜間や緊急時においては、当該バッテリーに蓄電されている電力を用いて光源を発光させている。これにより、外部からのエネルギーの供給が途絶えても、発光を続けることが可能となっている。
【００２７】
更に、バッテリーを小型にして、案内表示灯１０自体をコンパクトにするために、光源として消費電力が少ないＬＥＤを用いるとともに、点滅制御することによって、常夜灯として連続１５時間以上の駆動を行うことを可能にしている。光源の点滅制御を行いながら、案内表示灯１０としての機能を満たすためには、光源が消灯している間においてもピクトグラムや文字情報の部分が発光し続けていなければならない。そのために、光源が点灯している状態において、その光源が発光した光エネルギーの一部を蓄積し、光源が消灯している間は、その蓄積した光エネルギーを残光として発光する蓄光材を、案内表示灯１０の内部に備えてある。
【００２８】
この、案内表示灯１０の構造について、図３及び図４を用いて説明する。
図３は、本発明に係る案内表示灯１０の正面図であり、右下部分については光源の配置が見えるように断面を取って表した図である。図４は、案内表示灯１０の側面図であり、図３に示すＩＶ−ＩＶ矢視断面図である。
【００２９】
図３及び図４に示すように、案内表示灯１０における筐体１２の正面には、避難方向を指し示すピクトグラムと、その避難場所が「広域避難場所」であることを通知する文字情報と、その「広域避難場所」までの距離を通知する文字情報とを描いた表示板１６（案内表示板）を備えている。図３に示す実施例では、表示板１６の表面は、白色の光を透光する透明のポリカーボネート２０（透明合成樹脂板）の部分と、例えば緑色の光を透光してピクトグラムや文字情報を絵柄として描くためのピクトグラム着色部１８（絵柄）とから構成されている。
【００３０】
案内表示灯１０における筐体１２上面の、太陽光の照射を効率よく受ける部分には、夜間や緊急時において表示板１６を発光させるための電力を発電するソーラーパネル１４を配置してある。なお、筐体１２の下面は、支柱８の上端部に締結されている。
【００３１】
筐体１２の内部には、表示板１６に対して背面から光を照射する複数のＬＥＤ３０（光源）と、当該複数のＬＥＤ３０を取り付けるＬＥＤ基板２８と、昼間の日照時においてソーラーパネルが発電した電力を蓄電しておくバッテリー３６と、地震を感知する感振器３４と、バッテリー３６の充電制御やＬＥＤ３０の点灯制御並びに地震発生の判断その他の制御を行うコントローラ３２とを備えている。筐体１２の背面には、ＬＥＤ基板２８を保持するとともに筐体１２の裏面を覆う底板１３を取り付けてある。
【００３２】
次に、案内表示灯１０の表示板１６の積層構造について、図４を用いて説明する。
表示板１６は、案内表示灯１０の内部から表面に向かって、ＬＥＤ３０が発光した光エネルギーの一部を蓄積するとともに、その蓄積した光エネルギーを残光として発光する蓄光材２４と、蓄光材２４の残光を透過して外部に出射する白色乳半板２２と、白色乳半板２２及び蓄光材２４を外部環境から保護する透明なポリカーボネート２０と、ピクトグラムや文字情報を描くピクトグラム着色部１８とを備えている。
【００３３】
蓄光材２４としては、例えば長期的に安定な物質である酸化系蓄光物を粉砕して板状に成形したものを用いることができる。その蓄光材２４の厚さは、ＬＥＤ３０が発光した光を透過させつつ、蓄光材２４自体が発光する残光の光量を確保するために、１．５〜２．５（ｍｍ）程度の厚さが好ましい。
【００３４】
また蓄光材２４の発光色は、比較的明るいイエローグリーンを用いると良い。従来は、この蓄光材２４が発光するイエローグリーンの残光をそのまま外部に透光していたために、ピクトグラムや文字情報が見にくかった。
【００３５】
本発明では、蓄光材２４の外側に白色乳半板２２を配置することにより、透過光を白に近づけている。このように、ピクトグラムや文字情報を白で表示することよって、ＬＥＤ３０の点灯時及び蓄光材２４の残光発光時の双方において、ピクトグラムや文字情報の視認性を高めることができる。特に、遠方からの視認性を高めることができるので、緊急時における被災者の誘導を、より確実に行うことができる。また、地下道や地下鉄の通路において停電となり、更に火災の発生により煙が漂っている場合であっても、より確実に被災者の誘導を行うことができる。
【００３６】
白色乳半板２２は、透光性と強度に優れるアクリル材を用いることが好ましく、その厚さは、透過光の光量を維持しつつ透過光を白色に近づけるために、０．７〜１．５（ｍｍ）程度の厚さのものを用いることが好ましい。また、白色乳半板２４には、拡散剤を混入させることが好ましい。
【００３７】
白色乳半板２２の表側に配置したポリカーボネート２０は、表示板１６を保護する目的に用いるものであるので、耐候性処理を施した２（ｍｍ）程度の厚さの素材を用いる。そして、案内表示に用いる透過光の光量を確保するために、透明度の高い合成樹脂板等を用いることが好ましい。なお、白色乳半板２２に変えて、白色に近いポリカーボネート材を用いても、透過光の光量が減少してしまうために、ピクトグラムや文字情報の視認性を高めることは困難であった。表示板１６表面のピクトグラム着色部１８には、例えば緑色を透過するカッティングシート材を用いるとよい。また、蓄光材２４、白色乳半板２２、ポリカーボネート２０、及びピクトグラム着色部１８は、それぞれ離間させて構成してもよいし、密着させた一体形状に構成してもよい。
【００３８】
次に、案内表示灯１０の光源の配置について、図３及び図４を用いて説明する。
表示板１６の面輝度を均一化して、案内表示を見やすくするために、光源には、指向角度θが広角のＬＥＤ３０を用いている。この指向角度θが狭いとＬＥＤ３０の配置を密にしなければならず、また、ＬＥＤ３０の数量を増す必要が生ずる。ＬＥＤ３０の数量が増えると、必然的に点灯時の消費電力が増え、より大型のバッテリーやソーラーパネルを用いる必要が生じ、案内表示灯１０が大型になり、価格も上昇してしまうという不具合を生ずる。したがって、案内表示灯１０の光源として、９０°以上の指向角度θを有するＬＥＤ３０を用いるとよい。好ましくは、指向角度θが１１０°程度のＬＥＤ３０を用いるとよい。
【００３９】
ＬＥＤ３０の配置は、図３に示すように、正面から見た際に千鳥になるように配置して、表示板１６の輝度を均一化することが好ましい。図３及び図４に示す実施例では、指向角度θを１１０°程度とし、ＬＥＤ３０から蓄光材２４までの高さを４０〜７０（ｍｍ）程度に設定することで、表示板１６に照射する光量を均一化している。
【００４０】
また、白色乳半板２２を配置したことで、表示板１６が発光する光を拡散させてから出射するようになるので、表示板１６の面輝度のムラを更に減少させている。なお、筐体１２の外形は、平面視３００（ｍｍ）×３００（ｍｍ）の大きさであり、厚さは８０（ｍｍ）程である。ＬＥＤ３０は、約２３０（ｍｍ）×２３０（ｍｍ）の範囲に２５球配置してある。
【００４１】
次に、昼間並びに夜間における案内表示灯１０の表示板１６の表示状況について説明する。
【００４２】
図５は、夜間における光源点灯時、又は昼間における表示板１６の表示状況を示す図である。一方、図６は、夜間における光源消灯時であって、蓄光材２４が発光する残光により、ピクトグラムや文字情報を表示している状況を示す図である。
【００４３】
案内表示灯１０の周囲が明るい昼間時には、表示部１６は反射光によりピクトグラムや文字情報を表示する。したがって、図５に示す実施例では、表示板１６のピクトグラム着色部１８は緑色を反射し、ポリカーボネート２０の部分では白色乳半板２４の色である白色を反射してピクトグラムや文字情報を描いている。
【００４４】
案内表示灯１０の周囲が暗い夜間であって、点滅制御を行っているＬＥＤ３０が点灯している際には、ＬＥＤ３０が発光した光を透過させるとにより、表示部１６はピクトグラムや文字情報を表示する。この場合も図５に示すように、表示板１６のピクトグラム着色部１８は緑色を低輝度で透過し、ポリカーボネート２０の部分は白色を透過している。なお、このとき蓄光材２４は、ＬＥＤ３０が発光した光エネルギーの一部を蓄積している。
【００４５】
また、点滅制御を行っているＬＥＤ３０が消灯している際には、蓄光材２４が残光を発光してピクトグラムや文字情報を表示する（図６参照。）。このとき蓄光材２４が発光する残光は、ＬＥＤ３０が発光する光と比較すると極弱い光であるので、ピクトグラム着色部１８は極低輝度の緑色を発光し、ポリカーボネート２０の部分は低輝度の白色を発光して、ピクトグラムや文字情報を表示している。
【００４６】
このとき、蓄光材２４が発光する光がイエローグリーンであっても、蓄光材２４の外側に配置した白色乳半板２２を透過した後は白色に近い色となり、透明なポリカーボネート２０部分からは白色に近い色の光を発光する。したがって、イエローグリーンの残光をそのまま案内表示用として出射させる従来の方式と比較すると、ピクトグラムや文字情報の視認性を向上させることができる。
【００４７】
次に、案内表示灯１０において光源の点滅制御を行った際の発光量の変化状況について、図７及び図８を用いて説明する。
図７は、平常時の昼間及び夜間において夜間用の点滅制御を行った際の、時刻と発光量との関係を示す図である。また、図８は、地震発生後や火災発生後などの緊急時において緊急時用の点滅制御を行った際の、時刻と発光量との関係を示す図である。
【００４８】
図７に示すように、昼間はＬＥＤ３０を消灯しているので、案内表示灯１０の周囲の光を反射することで表示板１６のピクトグラムや文字情報を表示している。日没などにより周囲が暗くなり、例えば明るさ検出用に設けられているフォトトランジスタ等のフォトセルに流れる電流が減少すると、コントローラ３２は夜間に移行したと判断し、図７に示す時刻ｔ１にてＬＥＤ３０の点滅制御を開始する。なお、夜間であることの判断基準として、時刻を用いることも可能である。
【００４９】
平常時の夜間には、Ｔｏｎ（＝ｔ２−ｔ１）の間ＬＥＤ３０を点灯させ、Ｔｏｆｆ（＝ｔ３−ｔ２）の間ＬＥＤ３０を消灯しておく。例えば、点灯時間Ｔｏｎ＝２（ｓｅｃ）、消灯時間Ｔｏｆｆ＝１８（ｓｅｃ）として、点灯周期を２０（ｓｅｃ）に設定する。
【００５０】
ＬＥＤ３０の点灯時には、約１７０（ｃｄ／ｍ2）の輝度があり、通行人や被災者の注意を喚起することができる。また、ＬＥＤ３０の消灯直後には、約５．２５（ｃｄ／ｍ2）の輝度があり、避難方向や注意事項を表示し続けることができる。
【００５１】
本発明に係る案内表示灯１０では、ＬＥＤ３０が消灯してから約１８（ｓｅｃ）経過した後であっても、３．３５（ｃｄ／ｍ2）の輝度を維持している。なお、被災者が案内表示を視認する上で最小限必要な輝度は、一般に１（ｃｄ／ｍ2）以上と言われているので、十分な明るさが得られている。なお、本発明に係る案内表示灯１０では、ＬＥＤ３０の消灯後８０（ｓｅｃ）経時であっても１．７３（ｃｄ／ｍ2）の輝度を維持しており、１５０（ｓｅｃ）経過した場合であっても、１．１（ｃｄ／ｍ2）の輝度を維持している。したがって、本発明に係る案内表示灯１０においては、更に消灯時間Ｔｏｆｆを延長して、案内表示灯１０の消費電力を低減させることも可能である。
【００５２】
一方、緊急時においては、図８に示すように案内表示灯１０における点灯周期を短く設定して、被災者の注意を喚起する。例えば、地震が発生して感振器３４が所定の揺れを感知した場合や、何らかの要因により地下道において停電が発生した場合には、コントローラ３２が緊急時であると判断して、ＬＥＤ３０の点灯周期を短くした点滅制御を行う。図８に示す実施例では、時刻ｔ１０（ｓｅｃ）にて地震を検知した後、ＴＥｏｎ（＝ｔ１１−ｔ１０）の間ＬＥＤ３０を点灯させ、ＴＥｏｆｆ（＝ｔ１２−ｔ１１）の間ＬＥＤ３０を消灯しておく。例えば、点灯時間ＴＥｏｎ＝２（ｓｅｃ）、消灯時間ＴＥｏｆｆ＝４（ｓｅｃ）に設定する。ＬＥＤ３０点灯時の輝度は、図７に示した輝度と同じ約１７０（ｃｄ／ｍ2）であり、同様にＬＥＤ３０の消灯直後の輝度は約５．２５（ｃｄ／ｍ2）である。ＴＥｏｆｆ＝４（ｓｅｃ）程度では、殆ど輝度が減少することなく、次の点灯が行われる。点灯周期を短くすることにより、被災者の注意喚起を高めることができる。なお、平常時、及び緊急時における点灯周期は、図７及び図８に示した実施例に限定するものではなく、適宜延ばしたり短くしたりすることが可能である。
【００５３】
次に、本発明に係る案内表示灯１０の消費電力について説明する。
例えば、光源として、指向角度θ＝１１０°、光度１４００（ｍｃｄ）、順電圧３．３（Ｖ）の白色のＬＥＤ３０を２５球用い、点灯時にはそれぞれに１０（ｍＡ）の電流を流したとする。この場合には、点灯時の消費電流は約２５０ｍＡであり、ＬＥＤ３０の電流制限用の抵抗の消費電力を含めても、点灯時において０．８５（Ｗ）である。更に点滅制御を行って、（点灯時間Ｔｏｎ：消灯時間Ｔｏｆｆ）＝（１：９）の場合には、平均０．０８５（Ｗ）となり、１４時間点滅制御を行った場合であっても、ＬＥＤ３０点灯用の仕事量は、１．１９（Ｗｈ）程度である。
【００５４】
なお、案内表示灯１０として図３及び図４に示す構造を採用する場合には、光度の高いＬＥＤ３０を採用したり、指向角度θの狭いＬＥＤ３０を採用したりすると、ＬＥＤ１球１球の明るい部分が、表示板１６の正面から透けて見えてしまうようになる。このように面輝度にムラが発生すると、ピクトグラムや文字情報の視認性が低下してしまう。したがって、適切な光度で、指向角度θが広角なＬＥＤ３０を用いることが好ましい。
【００５５】
以上のように、消費電力が少なくなるように案内表示灯１０を構成することによって、最大出力１．２（Ｗ）程度の小型のソーラーパネル１４を用いることができ、バッテリー３６も、２．４（Ｖ），４０００（ｍＡｈ）程度の容量があれば十分となる。したがって、小型、軽量で安価な案内表示灯１０を提供することが可能となる。
【産業上の利用可能性】
【００５６】
本発明に係る案内表示灯を、公園等の街路や、停電時に暗闇となる地下鉄、地下街の通路に配置して、夜間の緊急時や停電発生時において、被災者の避難誘導、並びに各種の案内表示に用いることができる。なお、本発明に係る案内表示灯によれば、蓄光材が残光を発光している際においても、白色光を発光して案内表示を行うことができるので、暗闇の遠方からであっても、また、多少の煙が漂っている場所であっても、より効果的に案内表示を行うことができる。
【図面の簡単な説明】
【００５７】
【図１】本発明に係る案内表示板が適用された案内表示灯を、「広域避難場所案内図」を支える支柱の上部に設置した使用例を表す図である。
【図２】夜間又は災害時にて、案内表示灯が発光している状況を示す図である。
【図３】本発明に係る案内表示灯の正面図であり、右下部分については光源の配置が見えるように断面を取って表した図である。
【図４】案内表示灯の側面図であり、図３に示すＩＶ−ＩＶ矢視断面図である。
【図５】夜間における光源点灯時、又は昼間における表示板の表示状況を示す図である。
【図６】夜間における光源消灯時であって、蓄光材が発光する残光により、ピクトグラムや文字情報を表示している状況を示す図である。
【図７】平常時の昼間及び夜間において夜間用の点滅制御を行った際の、時刻と発光量との関係を示す図である。
【図８】地震発生後や火災発生後などの緊急時において、緊急時用の点滅制御を行った際の、時刻と発光量との関係を示す図である。
【符号の説明】
【００５８】
８  支柱
１０  案内表示灯
１２  筐体
１３  底板
１４  ソーラーパネル
１６  表示板（案内表示板）
１８  ピクトグラム着色部（絵柄）
２０  ポリカーボネート（透明合成樹脂板）
２２  白色乳半板（白色板））
２４  蓄光材
２８  ＬＥＤ基板
３０  ＬＥＤ
３２  コントローラ
３４  感振器
３６  バッテリー
【図１】
2009098421.tif 000003
【図２】
2009098421.tif 000004
【図３】
2009098421.tif 000005
【図４】
2009098421.tif 000006
【図５】
2009098421.tif 000007
【図６】
2009098421.tif 000008
【図７】
2009098421.tif 000009
【図８】
2009098421.tif 000010